(57)【要約】      （修正有）【課題】重量や強度の点で取り付けが難しいとされてきた陶磁器を取り付けることにより新たなデザインを可とした眼鏡フレームを提供する。【解決手段】金属パーツａ１を磁器パーツａの上下、または左右に位置付け、３つに分かれたそれぞれのパーツを金属棒ａ２で連結させる。その際、スペースａ３を設け陶磁器パーツの不揃いの大きさに対応すると同時に陶磁器のパーツａが回転してもいいようにストッパーａ４を取り付けて構成する。さらに、固定した金属棒ａ２に球体の陶磁器ａを取り付ける際に、球体の最大直径よりも広いスペースをテンプルに加工をし、陶磁器自体の大きさが取り付けに影響の出ないようにする。【選択図】図１
0003155430.tif 000002
【実用新案登録請求の範囲】
【請求項１】
陶磁器を眼鏡パーツとして、又は、飾りやグリッジ等の眼鏡の一部として重さ１ｇから１００ｇまでのものを備えることを特徴とし、そして、陶磁器を眼鏡フレームに取り付ける際に棒状のものを磁器の内側または外側を通し眼鏡フレームに固定。または平らに引き伸ばした陶磁器を眼鏡フレームの表面にネジ止め又は溝を彫りスライド方式による固定。陶磁器と眼鏡フレームを接着材で固定。などの加工を活かし陶磁器を眼鏡フレーム周辺にとりつけた構造を特徴とした眼鏡フレーム。
【考案の詳細な説明】
【技術分野】
【００１】本考案は一般的に重量が重く、破損し易い陶磁器を不快感のない重さと日常生活内で破損しない様に取り付ける事を特徴とした眼鏡フレーム。
【背景技術分野】
【００２】従来から眼鏡フレームは視力低下を補う物として使われてきた。近年では金、鼈甲、特殊合金などに特殊加工を加えた物や、宝石を埋め込んだデザイン的にも優れた眼鏡が多く、視力低下を補うのみではなくファッション性を重視した眼鏡が主流になってきている。
【００３】また、フレームデザインのみではなく素材そのものが従来眼鏡フレームとして使用されていなかった新しい素材が次々と使用されてきている。例えば、木や牛角などである。
【００４】さらには、近年のメガネフレームは蒔絵や七宝といった日本の伝統技術をとりいれデザイン的にも優れており、それが伝統工芸のＰＲや継承にも役立っている。
【考案が解決しようとする課題】
【００５】眼鏡は人の顔に付けるもので、眼鏡そのもののデザインはもちろん、重量や強度バランスが問われる。その為、樹脂や木、特殊合金等で加工し易いものは多いが磁器は重く割れ易い特徴があるため眼鏡フレームに使用する発想が眼鏡業界内でこれまでなかった。
【００６】磁器モデルは眼鏡重量のバランスでみても一つが最大でも球体ならば直径１１ｍｍが最大重量と思われる。しかし、１１ｍｍの大きさでは日常生活における振動や衝撃には耐える強度はあるがフレームに取り付ける前の工程での彫刻機での溝掘り等の加工は割れやすく精度の高い取り付けが困難である。
【００７】眼鏡フレームに取り付ける際には陶磁器モデルが一つ一つ手作りの為、本来０，０１ミリまで問われる眼鏡の組立において統一されていない陶磁器をパーツとして使用するのは困難である。
【００８】現在眼鏡パーツとして使用されているメッキ等は色付けが剥げたり色が褪せたりと経年劣化することが多い。
【００９】また、メッキは研磨しないと光らないという特徴があり眼鏡パーツ製作にその分完成までに時間と経費がかかる。
【０１０】眼鏡に限らず、モノづくりは製作の時間を短縮し尚且つ正確で良いものを製作することが必須である。
【０１１】これらの課題が残される為、陶磁器の伝統工芸を眼鏡フレームに取り付け、他の工芸品の蒔絵や七宝のようにＰＲが出来ないでいる
【課題を解決するための手段】
【０１２】形状の強度バランスを研究し金やプラチナなどを融解し表面にコーティングした軽くて強い特注の陶磁器を使用することで重量を小さなパーツであれば約２ｇから４ｇまで大きくても１００ｇの重量の軽減に成功した。また表面の金属による特殊加工により強度がまし眼鏡フレームに使用することへの重量と強度という課題を克服した。
【０１３】また、加工困難な小さな陶磁器モテルを眼鏡フレームに取り付ける際、直径１ミリの穴を磁器にあける等の加工を施す場合があるのだが、金属に比べて割れやすい磁器を固定する為の冶具を作り「００６」においてでた課題を克服した。
【０１４】「００７」においてでた課題は、多くの眼鏡フレームは機械による大量生産で一つ一つの大きさに対応していくのは不可能。そこで、フレームも一つ一つを手作りにし陶磁器サイズに対応。また、（図１）の様に固定した金属棒に球体の陶磁器を取り付け球体の最大直径よりも広いスペースをテンプルに加工をし、陶磁器自体の大きさが取り付けに影響の出ない特徴のデザインのものも製作した。
【０１５】色付けが剥げたり色が褪せるといった問題の多いメッキ等を使用せず陶磁器を使用する事で経年劣化の問題を解決できる。
【０１６】また、研磨しなくても光る陶磁器を使用することで研磨する時間も短縮することができた。
【図面の簡単な説明】
【０１７】
【図１】（ａ）は球体等の陶磁器パーツ。（ａ１）の金属パーツを（ａ）の上下、または左右に位置付け３つに分かれたそれぞれのパーツを（ａ２）の金属棒で連結させる。その際、（ａ３）のスペースを設け陶磁器パーツの不揃いの大きさに対応すると同時に陶磁器のパーツが回転してもいいように（ａ４）のストッパーを取り付けた構造図。
【図２】（ｂ）は角型等の陶磁器パーツ。（ｂ）の外周に溝を加工し（ｂ１）の様な金属枠パーツで両側から挟み固定。その後、金属パーツごとテンプルに固定した構を特徴とした。構造図
【図３】（ｃ）は角型等の陶磁器パーツ。（ｃ）に（ｃ３）先端へ取り付けられた金属棒３本を差込む為の直径１．４ミリの穴（ｃ１）を空け、その両脇に直径１ミリの穴（ｃ２）を空ける。図の様に差込みボンドで固定することで陶磁器パーツの回転を防ぐ事が可能となる棒状の物と穴を特徴とした構造図。
【図４】（ｄ）は角型等の磁器パーツ。（ｄ）に貫通した穴１．４ミリを空け同じく穴を空けた（ｄ２）と取り付け様金具（ｄ３）に１．３ミリの金属棒（ｄ１）を差込み、それぞれのパーツを連結させる。その後、（ｄ４）をロウ付け等により接続し各パーツを固定する陶磁器パーツと眼鏡フレームとを接続することを特徴とした構造図。
【考案の効果】
【０１８】本考案は「００５．００６．００７．００８．００９．０１０」のようにそれぞれ考えられる課題を克服する事により「０１１」に出た様に全国にある地方独特の陶磁器（陶器、磁器）の素晴らしい伝統文化を現在よりも多くの方にＰＲでき、日本の伝統文化の継承に貢献することが出来る。また、陶磁器ファンという新しい顧客層を眼鏡業界が獲得し、また、これまでにない組み合わせ商品ということで購買意欲の増進にも役立つ。陶磁器とこれまでになかった異業界との組み合わせでこれまで断念してきた新しい組み合わせのデザインが業界内外、競合他社に生まれ、眼鏡業界と伝統文化が活性化される良いスパイラルが生まれる。
【図１】
0003155430.tif 000003
【図２】
0003155430.tif 000004
【図３】
0003155430.tif 000005
【図４】
0003155430.tif 000006
【手続補正書】
【提出日】平成21年8月20日(2009.8.20)
【手続補正１】
【補正対象書類名】実用新案登録請求の範囲
【補正対象項目名】請求項１
【補正方法】変更
【補正の内容】
【請求項１】
人が日常生活において不快を感じない重量の陶磁器をネジ止めやスライド方式、接着、溶接等により固定をし、とりつける構造を特徴とした眼鏡フレーム。